(57)【要約】【課題】  軒先コーナー部が樹脂被覆鋼板からなる軒樋と一体に連なった外観態様となるように軒樋曲り継手を構成するとともに、軒樋と軒樋曲り継手の接続部外周面を面一にして、継ぎ目部分が見栄えの良い構成のものとする。【解決手段】  平面視略Ｌ字形に屈曲していて両端に軒樋端部が外嵌合する軒樋接続部２４、２４を設けてなる合成樹脂製の継手本体２の外面に樹脂被覆鋼板からなるカバー体３を一体に装着し、継手本体２の軒樋接続部２４、２４を除く外周面をカバー体３で被覆して軒樋曲り継手１を構成する。カバー体の肉厚は軒樋接続部に接続される軒樋の肉厚と略等しくなるように形成する。【選択図】図１
2008214967.tif 000002
【特許請求の範囲】
【請求項１】
家屋の軒先コーナー部において軒樋同士を接続する軒樋曲り継手であって、
平面視略Ｌ字形に屈曲していて両端に軒樋端部が外嵌合する軒樋接続部を設けてなる合成樹脂製の継手本体と、継手本体の外周面に沿って樹脂被覆鋼板を折り曲げてなるカバー体からなり、継手本体の軒樋接続部を除いた外周面をカバー体で被覆した構成を有することを特徴とする軒樋曲り継手。
【請求項２】
カバー体を継手本体のコーナー対角部を境としてその外周片半面づつをそれぞれ覆う一対のカバー材により構成し、両カバー材は前記コーナー対角部で継ぎ合う縁部をそれぞれ内折れさせて形成し、継手本体のコーナー対角部に沿った外面には両カバー材の前記内折れした縁部が没入する凹部を設けた構成を有することを特徴とする請求項１に記載の軒樋曲り継手。
【請求項３】
カバー体の肉厚を軒樋接続部に接続される軒樋の肉厚と略等しくなるように形成したことを特徴とする請求項１又は２に記載の軒樋曲り継手。
【発明の詳細な説明】
【技術分野】
【０００１】
本発明は、入隅や出隅などの家屋の軒先コーナー部で軒樋同士を接続する軒樋曲り継手に関する。
【背景技術】
【０００２】
家屋の軒先を見栄えの良いものとするために、軒先に軒天や屋根、壁又は窓枠の色と同じ色の軒樋を取り付け、軒先コーナー部にも軒樋と同じ色か同系色の軒樋曲り継手を取り付けることがある。
また、軒樋を壁と調和のとれた外観のものとするために、軒樋の表面に壁の模様と同じ模様の化粧シートを貼り付けて装飾することが知られている（例えば特許文献１参照）。
【０００３】
【特許文献１】特開２００１−１２３５９８号公報
【発明の開示】
【発明が解決しようとする課題】
【０００４】
前記の如く、軒樋と軒樋曲り継手を同じ色や模様に揃えれば、軒先コーナー部で軒樋が一つながりに連続した外観のものとなって、一体感のある装飾効果を醸し出すことが可能である。
しかし、軒樋と軒樋曲り継手とは、材質や製法が異なるため、同じ色や模様に揃えるのは難しい。例えば、塩ビ樹脂などを射出成形して得られた軒樋曲り継手と、鋼板表面が塩ビ樹脂などで被覆された樹脂被覆鋼板を曲げ加工して得られた軒樋とは、製品表面の肌触りや質感が微妙に異なるため、たとえ表面が同じ樹脂材からなる場合でも、両者は接続部で違和感を感じることがある。
【０００５】
このとき、軒樋を成形する樹脂被覆鋼板を用いて軒樋曲り継手を成形できれば問題はないが、樹脂被覆鋼板を折り曲げて複雑な継手形状に加工するのは困難である。また、従来の軒樋曲り継手は軒樋接続部に軒樋を接続したとき、軒樋と軒樋曲り継手との接続部の外周面に段差が発生するため、見栄えが悪くなるという問題があった。
【０００６】
本発明は従来技術の有するこのような問題点に鑑み、軒先コーナー部が鋼製の軒樋と色や模様が一体に連なった外観態様となるように軒樋曲り継手を構成すること、及び軒樋と軒樋曲り継手との接続部外周面を面一にして見栄えがよい構成のものとすることを課題とする。
【課題を解決するための手段】
【０００７】
前記課題を解決するため本発明の軒樋曲り継手は、家屋の軒先コーナー部において軒樋同士を接続する曲り継手であって、平面視略Ｌ字形に屈曲していて両端に軒樋端部が外嵌合する軒樋接続部を設けてなる合成樹脂製の継手本体と、継手本体の外周面に沿って鋼板を折り曲げてなるカバー体からなり、継手本体の軒樋接続部を除いた外周面をカバー体で被覆した構成を有することを特徴としている。
【０００８】
これによれば、軒先コーナー部に軒樋曲り継手を取り付け、その両端の軒樋接続部に鋼製の軒樋の端部を外嵌合して接続すれば、軒樋曲り継手の外周面を覆う鋼製のカバー体と鋼製の軒樋とが同じ質感で一つながりに連続した装飾効果を醸し出し、軒先コーナー部を含む軒先の外観を一体感のある綺麗なものに納めることができる。
また、カバー体と軒樋はいずれも継手本体の外面に被せて取り付けられるので、カバー体の肉厚を軒樋接続部に接続される軒樋の肉厚と略等しくなるように形成しておけば、軒樋と軒樋曲り継手の外周面を面一にして継ぎ合わせることができ、継ぎ目部分を目立たせなくすることができる。
【０００９】
前記構成において、カバー体を継手本体のコーナー対角部を境としてその外周片半面づつをそれぞれ覆う一対のカバー材により構成し、両カバー材は前記コーナー対角部で継ぎ合う縁部をそれぞれ内折れさせて形成するとともに、継手本体のコーナー対角部に沿った外面には両カバー材の前記内折れした縁部が没入する凹部を設けてもよい。これによれば、縁部を内折れさせることによりカバー材の剛性が増し、また、カバー材を継手本体に取り付けたときに、内折れ部が凹部内に没入してカバー材同士を継手本体の表面に面一に取り付けて継ぎ合わせることができる。
なお、カバー体は、継手本体の軒樋接続部を除いた外周面を覆うものであれば、一枚或いは三枚以上の鋼板を折り曲げて形成されたものでもよい。
【００１０】
また、耐候性を高めるために、表面に高耐候処理が施されたフィルムが積層された樹脂被覆鋼板を用いて軒樋を成形する場合は、これに伴いカバー体も、軒樋と同じ高耐候処理が施された樹脂被覆鋼板を折曲加工して形成するのが好ましい。
軒樋とカバー体が、ともに高耐候処理がなされた部材によるものであれば、褪色による色合いの変化が起こり難く、軒先における初期の装飾効果を長期間に亘って維持することが可能となる。樹脂被覆鋼板としては、例えば鋼板の表面を耐候性及び耐食性を有する塩ビフィルムで被覆したものが好適に使用できる。
【発明を実施するための最良の形態】
【００１１】
本発明の好適な一実施形態を図面を参照して説明する。
図１は本発明の一実施形態の軒樋曲り継手の外観図、図２は図１の軒樋曲り継手の継手本体とカバー体を分離した状態の外観図、図３は継手本体の平面図、図４は図３中のＡ−Ａ線、Ｂ−Ｂ線に沿った断面図、図５はカバー体を構成するカバー材の外観図、図６は図１の軒樋曲り継手に軒樋を接続した状態の外観図、図７は本発明の他の実施形態の軒樋曲り継手の外観図、図８は図７の軒樋曲り継手の継手本体とカバー体を分離した状態の外観図であり、各図において符号１は軒樋曲り継手、２は継手本体、３はカバー体、４は軒樋をそれぞれ示している。
【００１２】
図１〜図５に示した形態は軒先コーナー部である出隅に取り付けられる構成の曲り継手であり、この軒樋曲り継手１は、平面視略Ｌ字形に屈曲した合成樹脂製の継手本体２と、継手本体２の外周面を覆う鋼製のカバー体３からなり、継手本体２の外面にカバー体３を一体に取り付けて構成してある。
【００１３】
より詳しくは、継手本体２は塩ビ樹脂などを射出成形して得られたものであって、平面視Ｌ字状に折れた底面部２１の前縁に前面部２２を斜め前方へ、後縁に後面部２２を垂直にそれぞれ立ち上げて、前後面部２２、２３を垂直に切断したときの断面が後述する軒樋４の断面と略同じ形状となるように形成されており、その両端には軒樋４の端部が接続する軒樋接続部２４、２４を設けてある。
【００１４】
軒樋接続部２４、２４は、図３及び図４に示されるように、軒樋４の前後耳部４２ａ、４３ａが係合する前後係合部２２ａ、２３ａを前面部２２と後面部２３の上端にそれぞれ設けるとともに、前後面部２２、２３の内面上部間に連結面部２５を一体に架け渡して形成してあり、この連結面部２５によって継手本体２の剛性が確保されている。また、軒樋接続部２４、２４の根元部側端部における後面部２３の上部には、軒樋４の後耳部４３ａが当接する位置決め片２６を後方へ突出させてあり、この位置決め片２６と後面部２３の間には、軒樋４の周壁の肉厚幅と略等しい幅のスリット２７を形成してある。
また、図３に示されるように、継手本体２のコーナー対角部Ｃ１、Ｃ２を結ぶ線分上に沿った底面部２１と前面部２２の外面には、後述するカバー材３Ａ、３Ａの内折れ部３４が没入する幅及び深さの凹部２８を帯状に形成してある。
【００１５】
カバー体３は、前記継手本体２のコーナー対角部Ｃ１、Ｃ２を境として、その外周片半面づつを覆うように、継手本体２の外周面に沿って樹脂被覆鋼板を折り曲げてなる、対称形状の一対のカバー材３Ａ、３Ａにより構成されている。樹脂被覆鋼板としては、鋼板（厚み、０．２７〜０．４ｍｍ）の表面を耐候性及び耐食性を有する塩ビフィルム（厚み、０．１５〜０．３ｍｍ）で被覆した「ヒシメタル」（登録商標；三菱樹脂株式会社）などが好適に使用できるが、塩ビフィルムの表面をさらに高耐候処理がなされた化粧フィルムで被覆したものを用いることもできる。
【００１６】
両カバー材３Ａ、３Ａは、図５に示されるように、継手本体２の底面部２１を覆う底面部３１と、継手本体２の前後面部２２、２３を覆う前後面部３２、３３とを有して、鋼板を軒樋４の断面と略同じ形状となるように略Ｕ字状に折り曲げて形成してあり、前後面部３２、３３の上端３２ａ、３３ａは、継手本体２の前後面部２２、２３の上端に係合するように内側へ屈曲させてある。
また、両カバー材３Ａ、３Ａの、前記継手本体２のコーナー対角部Ｃ１、Ｃ２で継ぎ合う、底面部３１と前面部３２の縁部には、それぞれ内側へ折り返したヘミング曲げ形状の内折れ部３４、３４を設けてあり、また、前面部３２の上端３２ａの縁部も同様にヘミング曲げ形状に設けてある。
【００１７】
そして、カバー材３Ａ、３Ａは継手本体２の外周片半面づつにそれぞれ被せ、前後面部３２、３３の上端３２ａ、３３ａを継手本体２の前後面部２２、２３の上端に係合させることにより、継手本体２の外周面に外嵌合して一体に取り付けられ、取り付けられたカバー材３Ａ、３Ａで継手本体２の外周面を、その両端の軒樋接続部２４、２４を除いて覆うように設けてある。
また、継手本体２の外周面に外嵌合させた状態でカバー材３Ａ、３Ａの対向端部は、その縁部に沿った内折れ部３４が継手本体２のコーナー対角部Ｃ１、Ｃ２に沿って設けた凹部２８内に没入し、継手本体２の底面部２１を覆う互いの底面部３１、３１を面一に揃えて、表面に凹凸のない連続した面状に継ぎ合うようになっている。
【００１８】
本形態の軒樋曲り継手１は、図１に示されるように、継手本体２の外周面にカバー体３であるカバー材３Ａ、３Ａを一体に取り付けて、両端の軒樋接続部２４、２４を除き、外周面をカバー体３で被覆して構成される。
軒樋曲り継手１は、樋吊り具（図示せず）などにより軒先コーナー部に取り付けられ、これに軒樋４を接続するには、軒樋４の端部を軒樋接続部２４の端部に水平にあてがい、軒樋４の底面部４１及び前後面部４２、４３を、軒樋接続部２４の底面部２１及び前後面部２２、２３の外面に接合させて、そのまま軒樋４の端部を軒樋接続部２４側へ押し込めばよく、押し込まれた軒樋４は、図６に示されるように、前後耳部４２ａ、４３ａが軒樋接続部２４の前後係合部２２ａ、２３ａに係合して軒樋接続部２４の外面に嵌合して接続する。
【００１９】
この際、軒樋接続部２４の連結面部２５を手で掴めば、軒樋曲り継手１を安定的に支持して、軒樋４をスムーズな操作で押し込むことが可能である。
また、押し込まれた軒樋４はその後面部４３が、軒樋接続部２４のスリット２７内に進入して接続位置に案内され、スリット２７の端部に軒樋４の後面部４３が当接する位置まで押し込めば、軒樋４の端部はカバー体３の端部に当接し、カバー体３の底面部３１及び前後面部３２、３３に軒樋４の底面部４１及び前後面部４２、４３がそれぞれ面一に継ぎ合わさって一体に接続する。
【００２０】
図７及び図８に示した形態は軒先コーナー部である入隅に取り付けられる構成の曲り継手であり、この軒樋曲り継手１も前記形態と同様に、平面視略Ｌ字形に屈曲した合成樹脂製の継手本体２の外周面に、カバー体３であるカバー材３Ａ、３Ａを一体に取り付け、両端の軒樋接続部２４、２４を除き、外周面をカバー体３で被覆して構成される。
【００２１】
なお、図示した形態において、カバー材３Ａ、３Ａは、軒樋４と同材質、同色及び同模様の樹脂被覆鋼板を用いて形成され、褪色防止のために軒樋４が高耐候処理が施された樹脂被覆鋼板により形成されているときも、同様に高耐候処理が施された樹脂被覆鋼板を用いて形成される。また、カバー体３と軒樋４は、両部材が重なる継手本体２の表面部分に予め塗布された接着剤により接着固定される。図示した軒樋曲り継手１の形態は一例であり、接続する軒樋４の形状などに応じて適宜な形状に形成することが可能である。
【００２２】
このように本発明の軒樋曲り継手１によれば、軒先コーナー部に取り付けて両端の軒樋接続部２４に樹脂被覆鋼板からなる軒樋４の端部を外嵌合して接続すれば、軒樋曲り継手１の表面のカバー体３と軒樋４とが同じ質感で一つながりに連続した装飾効果を醸し出し、また、カバー体３と軒樋４が互いの外周面を面一にして継ぎ合わさるため継ぎ目部分が目立たず、軒先コーナー部を含む軒先の外観を一体感のある綺麗なものに納めることができる。
そして、カバー体３と軒樋４が高耐候処理が施された樹脂被覆鋼板を折曲加工して形成してあれば、褪色による色合いの変化が起こり難く、軒先における初期の装飾効果を長期間に亘って維持することが可能である。
【図面の簡単な説明】
【００２３】
【図１】本発明の一実施形態の軒樋曲り継手の外観図である。
【図２】図１の曲り継手の継手本体とカバー体を分離した状態の外観図である。
【図３】継手本体の平面図である。
【図４】図３中のＡ−Ａ線、Ｂ−Ｂ線に沿った断面図である。
【図５】カバー体を構成するカバー材の外観図である。
【図６】図１の曲り継手に軒樋を接続した状態の外観図である。
【図７】本発明の他の実施形態の軒樋曲り継手の外観図である。
【図８】図７の曲り継手の継手本体とカバー体を分離した状態の外観図である。
【符号の説明】
【００２４】
１  軒樋曲り継手、２  継手本体、２１  底面部、２２  前面部、２３  後面部、２４  軒樋接続部、２５  連結面部、２６  位置決め片、２７  スリット、２８  凹部、３  カバー体、３Ａ  カバー材、３４  内折れ部、４  軒樋
【図１】
2008214967.tif 000003
【図２】
2008214967.tif 000004
【図３】
2008214967.tif 000005
【図４】
2008214967.tif 000006
【図５】
2008214967.tif 000007
【図６】
2008214967.tif 000008
【図７】
2008214967.tif 000009
【図８】
2008214967.tif 000010